【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
構造体内の領域における環境の少なくとも１つの特性を調節する制御システムの動作を制御することにより、前記領域内の前記環境を制御するための制御装置であって、前記制御装置は、
前記制御システムによって調節可能な前記領域内の前記環境の少なくとも１つの特性を表す一連の利用可能な値を利用者に選択的に示し、
前記表わされた少なくとも１つの特性を前記利用者が制御することを可能にするユーザインターフェイスであって、前記ユーザインターフェイスにより前記制御装置にユーザ入力が与えられる、ユーザインターフェイスと、
前記ユーザ入力に対応する制御信号を前記制御システムに送信することにより、前記少なくとも１つの特性を調節する通信ユニットと
を含み、
前記ユーザインターフェイスが、前記領域内にいる任意の人物のプレゼンス情報に少なくとも基づき、前記制御システムによって調節可能な前記領域内の前記環境の少なくとも１つの特性を表す一連の利用可能な値を前記利用者に選択的に示し、その結果、前記利用者に可能な前記制御装置によって前記領域内の前記環境を制御する程度が前記プレゼンス情報に少なくとも部分的に基づき、
前記利用者に利用可能な前記制御装置によって前記領域内の前記環境を制御する前記程度が、前記領域内にいる人数が少ないほど大きい、
制御装置。
【請求項２】
前記ユーザインターフェイスが、前記プレゼンス情報に少なくとも基づき、前記ユーザインターフェイスによって前記利用者に示される特性の数及び／若しくは種類、並びに／又は各特性の前記一連の利用可能な値を適合させる、請求項１に記載の制御装置。
【請求項３】
前記利用者が前記領域内に位置するという条件で、前記利用者に可能な前記制御装置によって前記領域内の前記環境を制御する前記程度が、前記利用者から既定の距離内にいる人数が少なければ少ないほど大きい、請求項１又は２に記載の制御装置。
【請求項４】
前記通信ユニットが、前記プレゼンス情報を示す信号をプレゼンス情報センサユニットから受け取り、前記プレゼンス情報センサユニットは前記プレゼンス情報を求める、請求項１乃至３の何れか一項に記載の制御装置。
【請求項５】
前記ユーザインターフェイスが、前記制御システムによって調節可能な前記領域内の前記環境の特性に関する前記領域内にいる任意の人物の好みに更に基づき、前記制御システムによって調節可能な前記領域内の前記環境の少なくとも１つの特性を表す一連の利用可能な値を前記利用者に選択的に示す、請求項１乃至４の何れか一項に記載の制御装置。
【請求項６】
前記ユーザインターフェイスが、前記制御システムによって調節可能な前記領域内の前記環境の特性に関する前記利用者の好みを、前記制御システムによって調節可能な前記領域内の前記環境の特性に関する前記領域内にいる他の任意の人物の好みと比較することに更に基づき、前記制御システムによって調節可能な前記領域内の前記環境の少なくとも１つの特性を表す一連の利用可能な値を前記利用者に選択的に示す、請求項５に記載の制御装置。
【請求項７】
前記ユーザインターフェイスによって前記利用者に示される前記領域内の前記環境の少なくとも１つの特性を表す前記一連の利用可能な値のうちの被選択値の選択の、前記領域内の前記環境に対する影響を推定する推定ユニットを更に含み、
前記ユーザインターフェイスが、前記推定ユニットによって推定される前記影響を前記利用者に更に示す、
請求項１乃至６の何れか一項に記載の制御装置。
【請求項８】
前記プレゼンス情報が、少なくとも前記領域内の前記利用者を識別する識別情報を含み、前記ユーザインターフェイスが、前記利用者を識別する前記識別情報に更に基づき、前記制御システムによって調節可能な前記領域内の前記環境の少なくとも１つの特性を表す一連の利用可能な値を前記利用者に選択的に示す、請求項１乃至７の何れか一項に記載の制御装置。
【請求項９】
前記利用者による前記制御装置の使用に関するデータを記憶するメモリユニットを更に含み、
前記ユーザインターフェイスが、前記メモリユニット内に記憶されている前記データの少なくとも一部に更に基づき、前記制御システムによって調節可能な前記領域内の前記環境の少なくとも１つの特性を表す一連の利用可能な値を前記利用者に選択的に示す、
請求項１乃至８の何れか一項に記載の制御装置。
【請求項１０】
構造体内の領域における環境の少なくとも１つの特性を調節する制御システムの動作を制御することにより、前記領域内の前記環境を制御するための制御装置用のユーザインターフェイスであって、前記ユーザインターフェイスは、
前記制御システムによって調節可能な前記領域内の前記環境の少なくとも１つの特性を表す一連の利用可能な値を利用者に選択的に示し、
前記表わされた少なくとも１つの特性を前記利用者が制御することを可能にするユーザインターフェイスであり、前記ユーザインターフェイスにより前記制御装置にユーザ入力が与えられ、前記制御装置は、前記ユーザ入力に対応する制御信号を前記制御システムに送信することにより、前記少なくとも１つの特性を調節し、
前記ユーザインターフェイスが、前記領域内にいる任意の人物のプレゼンス情報に少なくとも基づき、前記制御システムによって調節可能な前記領域内の前記環境の少なくとも１つの特性を表す一連の利用可能な値を前記利用者に選択的に示し、その結果、前記利用者に可能な前記制御装置によって前記領域内の前記環境を制御する程度が前記プレゼンス情報に少なくとも部分的に基づき、
前記利用者に利用可能な前記制御装置によって前記領域内の前記環境を制御する前記程度が、前記領域内にいる人数が少ないほど大きい、
ユーザインターフェイス。
【請求項１１】
構造体内の領域における環境の少なくとも１つの特性を調節する制御システムと、
前記制御システムの動作を制御することによって前記領域内の前記環境を制御するための、請求項１乃至９の何れか一項に記載の制御装置と
を含む、システム。
【請求項１２】
前記構造体がビルであり、前記制御システムが、前記ビル内の機械設備及び／又は電気設備を制御し且つ／又はモニタするためのビル管理システムを含む、請求項１１に記載のシステム。
【請求項１３】
前記制御システムが前記領域内の照明、暖房、冷房、湿度、音響レベル、及び／又は空気循環を制御し、前記領域内の前記環境の前記少なくとも１つの特性が、少なくとも１つの照明特性、少なくとも１つの温度特性、少なくとも１つの音響特性、湿度、及び／又は少なくとも１つの空気循環特性を含む、請求項１１又は１２に記載のシステム。
【請求項１４】
構造体内の領域における環境の少なくとも１つの特性を調節する制御システムの動作を制御することにより、前記領域内の前記環境を制御するための制御装置の処理装置内で実行されるコンピュータプログラムであって、前記制御装置は、前記制御システムによって調節可能な前記領域内の前記環境の少なくとも１つの特性を表す一連の利用可能な値を利用者に選択的に示し、前記表わされた少なくとも１つの特性を前記利用者が制御することを可能にするユーザインターフェイスを含み、前記ユーザインターフェイスにより前記制御装置にユーザ入力が与えられ、前記制御装置は、前記ユーザ入力に対応する制御信号を前記制御システムに送信することにより、前記少なくとも１つの特性を調節する通信ユニットを更に含み、前記処理装置は、前記ユーザインターフェイスに結合され、
前記コンピュータプログラムは、前記処理装置内で実行されるとき、前記領域内にいる任意の人物のプレゼンス情報に少なくとも基づき、前記制御システムによって調節可能な前記領域内の前記環境の少なくとも１つの特性を表す一連の利用可能な値を前記利用者に対して前記ユーザインターフェイスに選択的に示させるコンピュータプログラムコードを保持するコンピュータ可読手段を含み、その結果、前記利用者に可能な前記制御装置によって前記領域内の前記環境を制御する程度が前記プレゼンス情報に少なくとも部分的に基づき、
前記利用者に利用可能な前記制御装置によって前記領域内の前記環境を制御する前記程度が、前記領域内にいる人数が少ないほど大きい、
コンピュータプログラム。